(57)【要約】【課題】本体部材に対する遊技盤の位置決めを容易にできるようにし、かつパチンコ球の発射軌道の精度を向上させる。【解決手段】遊技盤ユニットの左側端部を保持したベース部材４０を本体部材１１に軸着する。ベース部材４０を本体部材１１に軸着した後、遊技盤ユニットを本体部材１１に向けて回動させる。この回動とともにベース部材４０も回動し、ベース部材４０に設けられた挿通孔５７，５８に、本体部材１１の位置決め突起２５，２６がそれぞれ挿通される。遊技盤７０の背面に当接された板バネ２８，２９の復帰力により、遊技盤７０の左側端部が位置決め突起２５，２６に押し当てられる。【選択図】図８
2008183225.tif 000002
【特許請求の範囲】
【請求項１】
パチンコ球が流下する遊技領域を有する遊技盤と、前記遊技盤が取り付けられるベース部材と、前記遊技盤が取り付けられた前記ベース部材を収納する遊技機本体とを備えた遊技機において、
前記ベース部材に設けられ、前記遊技盤の幅方向の一端部を仮保持する保持部材と、
前記ベース部材に仮保持される前記遊技盤の一端部を、前記ベース部材の前後方向に一定の範囲内で規制する位置規制部と、
前記遊技盤が仮保持された前記ベース部材を前記遊技機本体に収納する位置と前記遊技機本体から突出する位置との間で回動可能となるように前記ベース部材を前記遊技機本体に軸着する軸着部と、
前記遊技盤が仮保持された前記ベース部材を前記遊技機本体に収納したときに、前記遊技盤の幅方向の一端部を前記遊技機本体から前方に向けて押圧する押圧部材と、
前記遊技機本体に設けられ、前記押圧部材によって押圧される前記遊技盤の幅方向の一端部が押し当てられる位置決め部と、を備えたことを特徴とする遊技機。
【請求項２】
パチンコ球が流下する遊技領域を有する遊技盤と、前記遊技盤が取り付けられるベース部材と、前記遊技盤が取り付けられた前記ベース部材を収納する遊技機本体とを備えた遊技機において、
前記遊技盤の幅方向の一端部を前記ベース部材に軸着する第１の軸着部と、
前記ベース部材に軸着された前記遊技盤を、前記第１の軸着部の近傍で仮保持する保持部材と、
前記遊技盤が仮保持された前記ベース部材を前記遊技機本体に収納する位置と前記遊技機本体から突出する位置との間で回動可能となるように前記ベース部材を前記遊技機本体に軸着する第２の軸着部と、
前記遊技盤が仮保持された前記ベース部材が前記遊技機本体に収納されたときに、前記遊技盤の幅方向の一端部を前記遊技機本体から前方に向けて押圧する押圧部材と、
前記遊技機本体に設けられ、前記押圧部材によって押圧される前記遊技盤の幅方向の一端部が押し当てられる位置決め部と、を備えたことを特徴とする遊技機。
【請求項３】
前記遊技盤が保持された前記ベース部材を前記遊技機本体に収納したときに前記位置決め部が挿通される第１挿通部を備えていることを特徴とする請求項１及び２記載の遊技機。
【請求項４】
前記遊技機本体に設けられ、前記遊技機本体に収納された前記ベース部材と対向する面から突出し、前記遊技盤の側面のうち前記ベース部材と対向する側面に当接される突出部と、
前記ベース部材に設けられ、前記突出部を挿通させる第２挿通部と、を備えていることを特徴とする請求項１〜３いずれか１つ記載の遊技機。
【請求項５】
前記遊技機本体は、前記遊技盤の幅方向の他端部を固定する固定部材と、前記遊技盤の下面が当接される当接面とを備えていることを特徴とする請求項１〜４いずれか１つ記載の遊技機。
【請求項６】
前記遊技機本体は、パチンコ球を打ち出す発射装置と、前記発射装置によって打ち出されたパチンコ球を送り出す送出通路とを前記保持部材が保持される一端側に備え、
前記遊技盤は、前記発射装置によって打ち出されたパチンコ球を遊技領域の外周に沿って案内し、その下端側が前記送出通路と連通される案内通路を備えていることを特徴とする請求項１〜５いずれか１つ記載の遊技機。
【請求項７】
前記ベース部材に、前記遊技盤の前面を覆う前面扉を回動自在に軸着したことを特徴とする請求項１〜６いずれか１つ記載の遊技機。
【発明の詳細な説明】
【技術分野】
【０００１】
本発明は、遊技盤と、該遊技盤が取り付けられるベース部材と、ベース部材に軸着される前面扉とから構成される分離ユニットと、この分離ユニットが前面側に着脱される遊技機本体とから構成された遊技機に関するものである。
【背景技術】
【０００２】
パチンコ店などの遊技場に配設される遊技機として、スロットマシンやパチンコ機などが挙げられる。このパチンコ機は、基体となる本体部材（遊技機本体）に、パチンコ球が打ち出される遊技領域が設けられた遊技盤が取り付けられる他に、遊技領域を遊技者に視認させる開口を備えた前面扉が軸着されている。また、本体部材には、パチンコ機に給電を行う電源装置や、パチンコ球を打ち出す発射装置、パチンコ球を払い出す払出装置や、これらの作動を制御する制御回路基板などが取り付けられている。
【０００３】
遊技場においては、既に配設されたパチンコ機から、新しい機種のパチンコ機へ交換する、所謂機種替えを行うときには、遊技場に配設されたパチンコ機を固定枠毎取り外した後、新しい機種となるパチンコ機を遊技場に配設することが一般的に行われている。このような機種替えのうち、遊技場から取り外されたパチンコ機と新たに遊技場に配設するパチンコ機とが同一の製造者の元で作成されたものであっても、遊技場に配設されていたパチンコ機は取り外されることが多く、例えば同一形状の本体部材や、この本体部材に取り付けられる発射装置や払出装置など、共通化できるものまで交換してしまうことになり、機種替えにかかる設備投資のコストダウンを効率良く行うことができないという問題がある。
【０００４】
このような問題を解決する方法として、発射装置や払出装置などパチンコ機の基本動作を行う装置や本体部材を遊技場に据え置きとし、遊技盤や前面扉、及び遊技を制御する遊技制御回路装置など交換が必要な箇所のみを本体部材からまとめて交換できる分離ユニットとすることが提案されている（特許文献など）。このように、同一の製造者の元で製造されたパチンコ機であれば、分離ユニットのみを交換することが可能となり、機種替え時に係る設備投資のコストダウンを効率良く行うことができる。
【特許文献１】特開２００５−２４５７１０号公報
【発明の開示】
【発明が解決しようとする課題】
【０００５】
上述した分離ユニットは、前面扉が軸着されるベース部材に遊技盤を取り付けていることで構成されていることが多い。このベース部材としては、遊技盤の四隅を係止機構等によって遊技盤を取り付ける枠状のものが一般的に用いられているが、最近では、アニメーション表示等の動画表示や、当たり表示などを行う図柄表示装置が拡大傾向に有り、遊技盤や、遊技盤に設けられる遊技領域が拡大されていることから、ベース部材の小型化が望まれる。しかしながら、従来のベース部材や、小型化されたベース部材を遊技機本体に取り付けた場合には、ベース部材の軸側では、その前後方向において遊技機本体に対する相対的な位置精度が低くなることから、打ち出されたパチンコ球が遊技盤に接触して軌道が変化してしまう原因となる。パチンコ球の軌道が変化してしまうと遊技を正常に行うことができないことから、遊技機本体に対する遊技機の位置精度を高精度とするためには、遊技機本体に分離ユニットを取り付けた後に、遊技盤の位置決めや位置精度の測定を行う必要があり、製造コストが上昇する要因となりやすい。
【０００６】
本発明は、上記課題を解決するためになされたものであり、遊技機本体に対する遊技盤の位置決めを容易にできるようにし、かつパチンコ球の発射軌道の精度を向上させる遊技機を提供することを目的とする。
【課題を解決するための手段】
【０００７】
上記目的を達成するために、本発明の遊技機は、パチンコ球が流下する遊技領域を有する遊技盤と、前記遊技盤が取り付けられるベース部材と、前記遊技盤が取り付けられた前記ベース部材を収納する遊技機本体とを備えた遊技機において、前記ベース部材に設けられ、前記遊技盤の幅方向の一端部を仮保持する保持部材と、前記ベース部材に仮保持される前記遊技盤の一端部を、前記ベース部材の前後方向に一定の範囲内で規制する位置規制部と、前記遊技盤が仮保持された前記ベース部材を前記遊技機本体に収納する位置と前記遊技機本体から突出する位置との間で回動可能となるように前記ベース部材を前記遊技機本体に軸着する軸着部と、前記遊技盤が仮保持された前記ベース部材を前記遊技機本体に収納したときに、前記遊技盤の幅方向の一端部を前記遊技機本体から前方に向けて押圧する押圧部材と、前記遊技機本体に設けられ、前記押圧部材によって押圧される前記遊技盤の幅方向の一端部が押し当てられる位置決め部と、を備えたことを特徴とする。なお、遊技盤としては、ガイドレールが固定された遊技盤の他に、遊技領域を形成するレール枠と呼ばれる部材が遊技盤に着脱自在に取り付けられた遊技盤ユニットや、レール枠の他に、制御装置などが取り付けられる裏機構板と呼ばれる部材が遊技盤の背面に取り付けられた遊技盤ユニットも含まれる。
【０００８】
また、本発明の遊技機は、パチンコ球が流下する遊技領域を有する遊技盤と、前記遊技盤が取り付けられるベース部材と、前記遊技盤が取り付けられた前記ベース部材を収納する遊技機本体とを備えた遊技機において、前記遊技盤の幅方向の一端部を前記ベース部材に軸着する第１の軸着部と、前記ベース部材に軸着された前記遊技盤を、前記第１の軸着部の近傍で仮保持する保持部材と、前記遊技盤が仮保持された前記ベース部材を前記遊技機本体に収納する位置と前記遊技機本体から突出する位置との間で回動可能となるように前記ベース部材を前記遊技機本体に軸着する第２の軸着部と、記遊技盤が仮保持された前記ベース部材が前記遊技機本体に収納されたときに、前記遊技盤の幅方向の一端部を前記遊技機本体から前方に向けて押圧する押圧部材と、前記遊技機本体に設けられ、前記押圧部材によって押圧される前記遊技盤の幅方向の一端部が押し当てられる位置決め部と、を備えたことを特徴とする。
【０００９】
また、前記遊技盤が保持された前記ベース部材を前記遊技機本体に収納したときに前記位置決め部が挿通される第１挿通部を備えていることを特徴とする。
【００１０】
また、前記遊技機本体に設けられ、前記遊技機本体に収納された前記ベース部材と対向する面から突出し、前記遊技盤の側面のうち前記ベース部材と対向する側面に当接される突出部と、前記ベース部材に設けられ、前記突出部を挿通させる第２挿通部と、を備えていることを特徴とする。
【００１１】
また、前記遊技機本体は、前記遊技盤の幅方向の他端部を固定する固定部材と、前記遊技盤の下面が当接される当接面とを備えていることを特徴とする。
【００１２】
また、前記遊技機本体は、パチンコ球を打ち出す発射装置と、前記発射装置によって打ち出されたパチンコ球を送り出す送出通路とを前記ベース部材が保持される一端側に備え、前記遊技盤は、前記発射装置によって打ち出されたパチンコ球を遊技領域の外周に沿って案内し、その下端側が前記送出通路と連通される案内通路を備えていることを特徴とする。
【００１３】
また、前記ベース部材に、前記遊技盤の前面を覆う前面扉を回動自在に軸着したことを特徴とする。
【発明の効果】
【００１４】
本発明の遊技機によれば、ベース部材を遊技機本体に収納する際に、押圧部材によって遊技機本体から押圧される遊技盤の幅方向の一端側が遊技機本体の位置決め部に押し当てられることで、遊技盤の幅方向の一端側の位置決めが行われる。これにより、ベース部材を介して遊技盤を遊技機本体に取り付けた場合であっても、遊技機本体に対する遊技盤の前後方向の位置決めを正確に行うことが可能になる。
【００１５】
また、遊技盤は、その幅方向の一端部を位置決めされた状態で、幅方向の他端部が遊技機本体に設けられた固定部材により固定されることから、位置決め部と固定部材との位置精度を高くしておけば、遊技機本体に取り付けられる遊技盤の幅方向における捩れを防止することができる。また、遊技盤を遊技機本体に取り付けたときに、遊技盤の下面が本体部材の当接面に当接した載置状態とすることで、遊技機本体の上下方向における位置決めを正確に行うことができる。
【００１６】
また、遊技機本体に設けられる発射装置や送出通路を保持部材が軸着される一端側とした場合には、ベース部材に保持される遊技盤の一端側と遊技機本体との位置決めが正確に行われることで、打ち出されるパチンコ球の軌道の変化を抑止でき、安定したパチンコ球の打ち出しを行うことができる。
【発明を実施するための最良の形態】
【００１７】
図１及び図２に示すように、パチンコ機１０は、ベース部材（遊技機本体）１１と、分離ユニット１２とから構成されている。本体部材１１は、固定枠１３を介してパチンコ店などの遊技場に配設される。この本体部材１１の前面下部には、供給皿１５や操作ハンドル１６などが設けられている。
【００１８】
供給皿１５は、遊技を開始するときにパチンコ球が供給される他に、遊技を行って入賞を得た場合に払い出されるパチンコ球が受容される。操作ハンドル１６は、遊技を行うときに操作され、この操作ハンドル１６の操作とともに、本体部材１１に取り付けられた発射装置１７が作動を開始し、操作ハンドル１６の操作量に基づいた打ち出し強さでパチンコ球を打ち出す。打ち出されたパチンコ球は、発射装置１７の上方に設けられた送出通路１８を介して、遊技盤ユニット４２に設けられた案内通路８１を介して遊技領域８０に到達する。この発射装置１７によるパチンコ球の打ち出しの際に、供給皿１５に受容されたパチンコ球が１球ずつ発射装置１７に向けて送り込まれる。なお、符号１９は、払い出し口であり、入賞時に払い出されるパチンコ球が、この払い出し口１９を介して供給皿１５に排出される。
【００１９】
図２に示すように、本体部材１１の前面上部には、分離ユニット１２が取り付けられる。この本体部材１１の左側端部には、軸受け部２０と、軸受け片２１とが設けられている。軸受け部２０は、ベース部材４０の上端に設けられた回動軸４７を受け入れ、受け入れた回動軸４７を保持する。軸受け片２１は挿通孔２２（図４参照）を備えており、この挿通孔２２にベース部材４０の下端に設けられた回動軸４９が挿通される。これにより、ベース部材４０が本体部材１１の左側端部に軸着される。
【００２０】
本体部材１１の左側端部には、位置決め突起（位置決め部）２５，２６と、板バネ（押圧部材）２８，２９とが設けられている。位置決め突起２５，２６は、本体部材１１の上下方向に、所定の間隔を空けた２カ所に設けられる。これら位置決め突起２５，２６は、遊技盤７０の左側端部における前後方向の位置決めを行うために設けられている。
【００２１】
板バネ２８は、位置決め突起２５よりも上方に設けられ、板バネ２９は位置決め突起２６よりも下方に設けられている。板バネ２８は、遊技盤７０の左側端部の上端側を本体部材１１の前面に向けて押圧し、板バネ２９は、遊技盤７０の左側端部の下端側を本体部材１１の前面に向けて押圧する。これら板バネ２８，２９の押圧を受けて、遊技盤７０の左側端部が位置決め突起２５，２６に押し当てられる。
【００２２】
本体部材の左側端部で、位置決め突起の２５，２６の間となる箇所には、突出片（突出部）３０，３１が設けられている。これら突出片３０，３１は、分離ユニット１２を本体部材１１に取り付けたときに、遊技盤７０の側面７０ａに当接されることで、本体部材１１の幅方向における遊技盤７０の位置決めを行う。
【００２３】
本体部材１１の右側端部には、その上端側と下端側に固定用レバー（固定部材）３２，３３が回転自在に設けられている。これら固定用レバー３２，３３は略菱形形状からなる頭部を備えたＴ字状から形成されている。分離ユニット１２を本体部材１１に取り付ける場合には、固定レバー３２，３３の頭部を、その長手方向が本体部材１１の上下方向に平行となる垂直状態で保持した後、遊技盤ユニット４２の遊技領域形成部材７１に設けられた挿通孔８７，８８にそれぞれ挿通する。その後、固定用レバー３２，３３を、その長手方向が本体部材１１の上下方向と平行となる垂直状態から、本体部材１１の上下方向と直交する水平状態まで回転させることで、挿通孔８７，８８の周縁部に固定用レバー３２，３３がそれぞれ係止される。
【００２４】
本体部材１１は、その上下方向と直交する平面３５を備えている。この平面（当接面）３５は、分離ユニット１２を本体部材１１に取り付けたときに、遊技盤７０の下面が当接して載置されることで、本体部材１１の上下方向における遊技盤の位置決めを行う基準面となる。
【００２５】
図３及び４に示すように、分離ユニット１２は、ベース部材４０と、前面扉４１と、遊技盤ユニット４２とから構成されている。ベース部材４０は、上下方向を長手方向とする略Ｌ字状からなる。このベース部材４０の上端部及び下端部には、ベース部材４０の前方に向けて突出する支持片４５，４６が設けられている。支持片４５には、その上面から突出する回動軸（軸着部）４７と、軸受け孔（軸着部）４８とが設けられている。また、支持片４６には、その下面から突出する回動軸４９と、上面から突出する回動軸５０とが設けられている。支持片４５の回動軸４７と支持片４６の回動軸４９とは同軸となるように、それぞれ設けられている。回動軸４７は、本体部材１１に設けられた軸受け部２０に保持され、回動軸４９は本体部材１１に設けられた軸受け片２１の挿通孔２２に挿通される。また、軸受け孔４８の中心と回動軸５０の中心とが同一となるように設けられている。軸受け孔４８は、前面扉４１の回動軸６５を挿通し、回動軸５０は前面扉４１の下端に設けられた軸受け孔６６に挿入される。
【００２６】
ベース部材４０の壁面４０ａには、その上下方向に所定の間隔を空けて、位置規制用突起（位置規制部）５５，５６が設けられている。位置規制用突起５５，５６は、ベース部材４０に遊技盤ユニット４２を取り付けたときに、遊技盤ユニット４２の左側端部を、ベース部材４０の前後方向において一定のガタ付きが生じる範囲で規制する。
【００２７】
ベース部材４０の壁面４０ａで、位置規制用突起５５と位置規制用突起５６との間には、挿通孔（第１挿通部）５７，５８、及び挿通孔（第２挿通部）５９，６０が設けられている。挿通孔５７，５８は、ベース部材４０の壁面４０ａの前端側に設けられている。これら挿通孔５７，５８は、分離ユニット１２を本体部材１１に取り付けるときに、本体部材１１に設けられた位置決め突起２５，２６がそれぞれ挿通される。また、挿通孔５９，６０は、ベース部材４０の壁面４０ａの後端側に設けられている。これら挿通孔５９，６０は、分離ユニット１２を本体部材１１に取り付けるときに、本体部材１１に設けられた突出片３０，３１がそれぞれ挿通される。
【００２８】
ベース部材４０の上端部及び下端部には、保持レバー（保持部材）６１，６２が設けられている。なお、この保持レバー６１，６２は、本体部材１１の右側端部に設けられる固定用レバー３２，３３と同一の構成となっているので、ここでは、その詳細を省略する。この保持レバー６１，６２は、ベース部材４０に遊技盤ユニット４２を取り付けるときに、遊技盤ユニット４２の遊技領域形成部材７１の左側端部の上端及び下端に設けられた挿通孔８５，８６にそれぞれ挿通され、その挿通後の回転により挿通孔８５，８６の周縁部と係止される。
【００２９】
前面扉４１は、その背面から見て右側端部の上端に回動軸６５を備え，また、右側端部の下端に軸受け孔６６が設けられている。回動軸６５は、ベース部材４０の支持片４５に設けられた軸受け孔４８に挿通され、軸受け孔６６には、支持片４６に設けられた回動軸５０が挿通される。この前面扉４１の背面側には、前面扉４１の開口４１ａを塞ぐガラス６７が取り付けられている。
【００３０】
遊技盤ユニット４２は、遊技盤７０と、遊技領域形成部材７１とを備えている。遊技盤７０には、図示しない障害釘や風車の他に、センター役物７５と呼ばれる構造物や、始動チャッカー７６、通常チャッカー７７、アタッカ７８などの入賞装置が配設されている（図１参照）。なお、図３及び図４においては、図の煩雑さを省略するため、これら構造物や入賞装置を省略してある。
【００３１】
遊技領域形成部材７１は、その中央が開口された枠形状からなり、遊技盤７０の前面に配置される。この遊技領域形成部材７１が遊技盤７０の前面に配置されることで遊技領域８０が形成される他、遊技領域８０の左方に沿ってパチンコ球が遊技領域８０に向けて案内される案内通路８１が形成される。この案内通路８１の下端部は、分離ユニット１２を本体部材１１に取り付けたときに、本体部材１１に設けられた送出通路１８と連通する。
【００３２】
この遊技領域形成部材７１の四隅には、その上下方向が長手方向となる略菱形の挿通孔８５，８６，８７，８８が設けられている。これら挿通孔８５，８６，８７，８８のうち、遊技領域形成部材７１の左側端部に設けられる挿通孔８５，８６には、ベース部材４０に設けられた保持レバー６１，６２がそれぞれ挿通される。一方、遊技領域形成部材７１の右側端部に設けられる挿通孔８７，８８には、本体部材１１に設けられる固定用レバー３２，３３がそれぞれ挿通される。また、挿通孔８５の近傍には、挿通孔８５及び挿通孔８５の周縁部に係止された保持レバー６１を被覆するためのカバー９１が設けられる。同様にして、挿通孔８６、８８の近傍にもこれら挿通孔や、挿通孔の周縁部に係止された固定用レバー６１，６２をそれぞれ被覆するカバー９２，９３が設けられている。
【００３３】
このような分離ユニット１２は、以下のようにして組み立てられる。図５に示すように、前面扉４１の左端部をベース部材４０に軸着した後、遊技盤ユニット４２の左側端部をベース部材４０に向けて（Ｃ方向に）移動させて、その左側端部を、位置規制用突起５５とベース部材４０の壁面４０ｂとの間に差し込む。その後、位置規制用突起５５とベース部材４０の壁面４０ｂとの間に差し込まれた遊技盤ユニット４２の左側端部を中心にしてＤ方向に回動させ、垂直状態に回転させた保持レバー６１を遊技領域形成部材７１に設けられた挿通孔８５に挿通させる。同様にして、保持レバー６２を遊技領域形成部材７１に設けられた挿通孔８６に挿通させる。
【００３４】
これら挿通の後、保持レバー６１を水平状態となるように回転操作し、保持レバー６１と挿通孔８５の周縁部とを係止させる。また、保持レバー６２を回転操作して、保持レバー６２と挿通孔８６の周縁部とを係止させる。これにより、ベース部材４０に遊技盤ユニット４２が仮保持された状態で分離ユニット１２が完成する。分離ユニット１２が完成したときには、遊技盤７０の前面左側端部と位置規制用突起５５，５６との間には隙間が生じており、また、遊技盤ユニット４２は、その左側端部のみがベース部材４０に保持されていることから、遊技盤ユニット４２はベース部材４０の前後方向にガタつきが生じている。このような状態で、分離ユニット１２を本体部材１１に取り付ける。
【００３５】
図６に示すように、分離ユニット１２を本体部材１１に取り付けるときには、ベース部材４０の支持片４６に設けられた回動軸４９を本体部材１１の軸受け片２１の挿通孔２２に挿通した後、ベース部材４０の支持片４５に設けられた回動軸４７を本体部材１１の軸受け部２０にて保持する。これにより、分離ユニット１２が本体部材１１に軸着される。
【００３６】
図７及び図８に示すように、分離ユニット１２が本体部材１１に軸着された後、遊技盤ユニット４２の右側端部を本体部材１１に向けて（Ｅ方向に）回動させると、遊技盤ユニット４２の左側端部を保持するベース部材４０もＥ方向に回動する。この回動時に、ベース部材４０に設けられた挿通孔５７，５８に本体部材１１に設けられた位置決め突起２５，２６がそれぞれ挿通され、また、ベース部材４０の挿通孔５９，６０に本体部材１１に設けられた突出片３０，３１がそれぞれ挿通される。
【００３７】
また、遊技領域形成部材７１の右側端部に設けられた挿通孔８７，８８に、本体部材１１の右側端部に設けられ、垂直状態に保持された固定用レバー３２，３３がそれぞれ挿通される。さらに、遊技盤ユニットの右側端部をＥ方向に回動させる過程で、遊技盤７０の下面が本体部材１１の基準面３５に当接した載置状態となる。
【００３８】
遊技盤ユニット４２が本体部材１１に当接されることで、遊技盤ユニット４２の回動が停止される。そして、固定用レバー３２を水平状態となるように回転操作し、固定用レバー３２を挿通孔８７の周縁部に係止する。同様にして、固定用レバー３３を回転操作し、固定用レバー３３を挿通孔８８の周縁部に係止する。これにより、遊技盤ユニット４２を保持したベース部材４０が本体部材に収納される。
【００３９】
なお、遊技盤ユニット４２及びベース部材４０の回動の際に、本体部材１１に設けられた板バネ２８，２９が遊技盤７０の左側端部の背面に当接され、板バネ２８，２９を押し込む。遊技盤７０に押圧されることで、板バネ２８，２９には復帰力が働き、遊技盤７０を本体部材１１の前面に向けて（Ｆ方向に）押圧する。この押圧を受けて、遊技盤７０の左側端部が押し出され、位置決め突起２５，２６に当接される。これにより、本体部材の前後方向に対する遊技盤７０の左側端部の位置決めが行われる。
【００４０】
また、遊技盤ユニット４２の右側端部は、固定用レバー３２，３３の回転操作時に、遊技盤ユニット４２の左側端部がベース部材４０に向けて移動し、遊技盤７０の側面７０ａがベース部材４０の挿通孔５９，６０に挿通された突出片３０，３１にそれぞれ押し付けられる。これにより、本体部材１１の幅方向における遊技盤ユニット４２の位置決めが行われる。また、本体部材１１に取り付けられた遊技盤ユニット４２は、遊技盤７０の下面が基準面３５に当接して載置されることで、本体部材１１の上下方向における遊技盤ユニット４２の位置決めが行われる。これら位置決めによって、固定用レバー３２，３３の回転操作後の遊技盤７０の捩れを防止することができる。これにより、遊技盤ユニット４２に設けられる案内通路８１の下端部と、本体部材１１に設けられる送出通路１８との連通状態が良好な状態で保持されるので、安定したパチンコ球の打ち出しを行うことができる。
【００４１】
本実施形態では、遊技盤ユニットの左側端部の位置をベース部材に設けられた位置規制突起によって規制した状態で、保持レバーと保持レバーが挿通される挿通孔の周縁部とを係止させる形態としているが、この他に、遊技盤ユニットをベース部材に軸着した後に、保持レバーと保持レバーが挿通される挿通孔の周縁部とを係止させることも可能である。
【００４２】
図９に示すように、分離ユニット１００は、本実施形態と同様に、ベース部材１０１、前面扉１０２、遊技盤ユニット１０３から構成される。ベース部材１０１は、その上下方向が長手方向となるように形成され、その上端部と下端部とに前面に向けて突出する支持片１０５，１０６が設けられている。
【００４３】
支持片１０５には、上面から上方に突出する回動軸（第２の軸着部）１１０と、軸受け孔１１１，１１２とが設けられている。また、支持片１０６には、支持片１０５の回動軸１１０と同軸となる軸受け孔（第２の軸着部）１１５と、支持片１０５の軸受け孔１１１と同軸となる回動軸１１６と、軸受け孔１１２と中心軸が同一となる軸受け孔１１７とが設けられている。このベース部材１０１の上端部及び下端部には、保持レバー（保持部材）１２０，１２１がそれぞれ設けられ、これら保持レバー１２０，１２１との間には、挿通孔（第１挿通部）１２２，１２３及び挿通孔（第２挿通部）１２４，１２５が設けられている。
【００４４】
前面扉１０２は、背面から見て右側端部の上端に、支持片１０５の軸受け孔１１１に挿通される回動軸１３０を備え、また、右側下端に支持片１０６に設けられた回動軸１１６が挿通される軸受け孔１３１を備えている。
【００４５】
遊技盤ユニット１０３は、その左側端部の上端及び下端に回動軸（第１の軸着部）１４１，１４２が設けられている。また、遊技盤ユニット１０３の四隅に挿通孔１４３，１４４，１４５，１４６が設けられている。なお、符号１４７は遊技領域、符号１４８は打ち出されたパチンコ球を遊技領域１４７に向けて案内する案内通路を示す。
【００４６】
分離ユニット１００の組み立て時には、ベース部材１０１の支持片１０５に設けられた軸受け孔１１２に回動軸１４１を、支持片１０６の軸受け孔１１７に回動軸１４２をそれぞれ挿通させることで、遊技盤ユニット１０３をベース部材１０１に軸着する。この軸着の後、遊技盤ユニット１０３を回動させ、遊技盤ユニット１０３に設けられた挿通孔１４３，１４４に、ベース部材１０１に設けられた保持レバー１２０，１２１をそれぞれ挿通させる。その後、保持レバー１２０，１２１を回転操作して、保持レバー１２０，１２１を挿通孔１４３，１４４の周縁部に係止させる。これにより、遊技盤ユニット１０３の左側端部がベース部材１０１に取り付けられる。なお、前面扉１０２は、遊技盤ユニット１０３をベース部材１０１に取り付ける前にベース部材１０１に軸着してもよいし、遊技盤ユニット１０３をベース部材１０１に取り付けた後にベース部材１０１に軸着してもよい。
【００４７】
図１０に示すように、組み立てられた分離ユニット１００を本体部材１５０に取り付ける際には、ベース部材１０１の支持片１０６に設けられた軸受け孔１１５に、本体部材１５０の左側端部の支持片１５１に設けられた回動軸１５２を挿通させた後、支持片１０５に設けられた回動軸１１０を、本体部材１５０に設けられた軸受け部１５４に保持させる。これにより、分離ユニット１００が本体部材１５０に軸着される。
【００４８】
この軸着の後、ベース部材１０１及び遊技盤ユニット１０３を本体部材１５０に向けて回動させると、ベース部材１０１に設けられた挿通孔１２２，１２３に、本体部材１５０に設けられた位置決め突起（位置決め部）１６０，１６１が挿通され、また、ベース部材１０１に設けられた挿通孔１２４，１２５に、本体部材１５０に設けられた突出片（突出部）１６２，１６３が挿通される。また、遊技盤ユニット１０３の右側端部の上端及び下端に設けられた挿通孔１４５，１４６に、本体部材１５０に設けられた固定用レバー（固定部材）１６４，１６５が挿通される。このとき、遊技盤ユニット１０３の下面が本体部材１５０の当接面１６８に当接される。
【００４９】
この過程で、本体部材１５０に設けられた板バネ（押圧部材）１６６，１６７が遊技盤ユニット１０３の背面に当接され、遊技盤ユニット１０３の左側端部を前面に向けて押圧する。これにより、遊技盤ユニット１０３の前面左側端部が、位置決め突起１６０，１６１に押し当てられる。最後に固定用レバー１６４，１６５を回転操作して、固定用レバー１６４，１６５を挿通孔１４５，１４６の周縁部に係止させる。この固定用レバー１６４，１６５の回転操作時に、遊技盤ユニット１０３が本体部材１５０の左側端部に向けて移動し、ベース部材１０１の挿通孔１２４，１２５から突出する本体部材１５０の突出片１６２，１６３にそれぞれ押し当てられる。これにより、本体部材１５０の幅方向における遊技盤ユニット１０３の位置決めが行われる。
【００５０】
つまり、ベース部材１０１に遊技盤ユニット１０３を軸着したときに、遊技盤ユニット１０３の回動軸１４１，１４２の位置精度や部品精度、ベース部材１０１の挿通孔１１２，１１７の位置精度や部品精度が低い場合や、遊技盤ユニット１０３とベース部材１０１との取り付け精度が低い場合であっても、遊技盤ユニット１０３が本体部材１５０に対して正確に位置決めされる。なお、図示は省略するが、本体部材１５０には、発射装置や、発射装置によって打ち出されるパチンコ球を送り出す送出通路が設けられているので、遊技盤ユニット１０３を本体部材１５０に軸着した場合であっても、案内通路と送出通路との連通状態は良好となることは言うまでもない。
【００５１】
本実施形態では、遊技盤ユニットは、その左側端部をベース部材に保持される形態としているが、これに限定する必要はなく、遊技盤ユニットの四隅をベース部材に保持する形態であってもよい。
【００５２】
本実施形態では、位置決め用突起をベース部材に設けられた挿通孔に挿通させる形態としているが、挿通孔の代わりに、位置決め用突起の幅よりも大きい幅からなる切り欠き部を設け、この切り欠き部に位置決め用突起を挿通させるようにしても良い。
【図面の簡単な説明】
【００５３】
【図１】本発明を用いたパチンコ機の外観を示す斜視図である。
【図２】分離ユニットと本体部材との構成を分解して示す斜視図である。
【図３】分離ユニットの構成を示す斜視図である。
【図４】ベース部材と遊技盤ユニットとを示す斜視図である。
【図５】遊技盤ユニットをベース部材に取り付ける際の保持レバーの近傍を示す横断面図である。
【図６】分離ユニットを本体部材に取り付ける際の保持レバーの近傍を示す横断面図である。
【図７】遊技盤ユニットを本体部材に向けて回動させる際の保持レバーの近傍を示す横断面図である。
【図８】遊技盤ユニットをベース部材に取り付けた状態を示す横断面図である。
【図９】遊技盤ユニットがベース部材に軸着される分離ユニットの構成を示す斜視図である。
【図１０】ベース部材に軸着される遊技盤ユニットと本体部材との関係を分解して示す斜視図である。
【符号の説明】
【００５４】
１０  パチンコ機（遊技機）
１１，１５０  本体部材（遊技機本体）
１２，１００  分離ユニット
１７  発射装置
１８  送出通路
２０  軸受け部
２１  軸受け片
２２  挿通孔
２５，２６，１６０，１６１  位置決め突起（位置決め部）
２８，２９，１６６，１６７  板バネ（押圧部材）
３０，３１，１６２，１６３  突出片（突出部）
３２，３３，１６４，１６５  固定用レバー（固定部材）
４０，１０１  ベース部材
４１，１０２  前面扉
４２，１０３  遊技盤ユニット
４７，４９  回動軸（軸着部）
５５，５６  位置規制用突起（位置規制部）
５７，５８，１２２，１２３  挿通孔（第１挿通部）
５９，６０，１２４，１２５  挿通孔（第２挿通部）
６１，６２，１２０，１２１  保持レバー（保持部材）
７０  遊技盤
７１  遊技領域形成部材
８０  遊技領域
８１  案内通路
８５〜８８  挿通孔
１１０  回動軸（第２の軸着部）
１１５  軸受け孔（第２の軸着部）
１４０，１４１  回動軸（第１の軸着部）
【図１】
2008183225.tif 000003
【図２】
2008183225.tif 000004
【図３】
2008183225.tif 000005
【図４】
2008183225.tif 000006
【図５】
2008183225.tif 000007
【図６】
2008183225.tif 000008
【図７】
2008183225.tif 000009
【図８】
2008183225.tif 000010
【図９】
2008183225.tif 000011
【図１０】
2008183225.tif 000012